(57)【要約】【課題】            製品の転倒時に水漏れを発生させない気化式加湿器の構造に関する。【解決手段】        枠体１の背部の吸込口２と前部の吹出口３を連通する送風流路４を設け、送風流路４の下方には貯水槽６を設け、送風流路４内には送風機５と、一部が貯水槽６内に届く気化体７を設置する。枠体１は送風流路４を配置した上部枠体Ａと貯水槽６を配置した下部枠体Ｂで構成し、貯水槽６の上部開口６ａの周縁部には上広がりのテーパー状の内壁６ｂを形成し、開口６ａを覆う蓋８の外周には内壁６ｂと密着する封止部材８ａを設け、蓋８には貯水槽６内に伸ばした気化体収納部９を一体に構成し、気化体７の下部が届く気化体収納部９の下部には気化体収納部９と貯水槽６内を連通する細孔９ａを形成する。上部枠体Ａの底板１０と貯水槽６の蓋８との間に間隔１１を介して、貯水槽６を含む下部枠体Ｂと上部枠体Ａとを取付け、間隔１１の容積を気化体収納部９の内部空間よりも広くした。【選択図】          図１
2005315500.tif 000002
【特許請求の範囲】
【請求項１】
枠体１の背部に設けた空気の吸込口２と、枠体１の前部に設けた空気の吹出口３と、吸込口２と吹出口３とを連通する枠体１内に設けた送風流路４と、送風流路４内に設置した送風機５とによって送風装置を構成し、
前記送風流路４の下方には貯水槽６を設け、前記送風機５の作動時に加湿空気を吹出口３から吹出すように一部が貯水槽６内に届く気化体７を送風流路４内に設置した加湿器であって、前記枠体１は送風流路４を配置した上部枠体Ａと貯水槽６を配置した下部枠体Ｂで構成し、該貯水槽６の上部開口６ａの周縁部には上広がりのテーパー状の内壁６ｂを形成し、該開口６ａを覆う蓋８の外周には開口６ａの内壁６ｂと密着する封止部材８ａを設け、
該蓋８は貯水槽６内に伸ばした扁平状の気化体収納部９を一体に構成し、気化体７の下部を届かせた有底状の前記気化体収納部９の下部には、気化体収納部９と貯水槽６内を連通する細孔９ａを形成すると共に、
前記上部枠体Ａの底板１０と前記貯水槽６の蓋８との間に間隔１１を介して、貯水槽６を含む下部枠体Ｂと前記上部枠体Ａとを取付け、該間隔１１の容積を気化体収納部９の内部空間よりも広くしたことを特徴とする気化式加湿器の構造。
【請求項２】
上部枠体Ａの底板１０には下部枠体Ｂから上部枠体Ａに届く扁平状の気化体７の幅方向と平行になるリブ１０ａを蓋８に向けて突出して設け、このリブ１０ａは上部枠体Ａを下部枠体Ｂに取り付けたときに上部枠体Ａが蓋８を押さえつけ、前記封止部材８ａと貯水槽内壁６ｂとを密閉した事を特徴とした請求項１に記載した気化式加湿器の構造。
【請求項３】
気化体収納部９の上方には気化体７を送風流路４内で形状を保持する為に蓋８と一体成形された気化枠７ａを設け、該気化枠７ａは上部枠体Ａの底板１０の開口１０ｂから送風流路４に伸ばされており、該送風流路４には気化枠７ａを保持する案内板１２を設けたことを特徴とする請求項１に記載した気化式加湿器の構造。
【請求項４】
前記気化体収納部９の下部にある細孔９ａは、気化体収納部９の下面と側面とのコーナー部に形成し、該細孔９ａの側面と同方向の蓋８には空気孔８ｂを設けたことを特徴とする請求項１に記載した気化式加湿器の構造。
【請求項５】
前記貯水槽６の底部には気化体収納部９の下部の形状に合せて一段低い凹部６ｃを設け、気化体収納部９は貯水槽６の底部よりも低い位置に伸ばして気化体収納部９の下部が貯水槽６の凹部６ｃ内に届くように設け、
凹部６ｃは気化体７を貯水槽６内にセットする際の位置決めとなると共に、気化体７が貯水槽６内の水を残すことなく吸い上げ可能にしたことを特徴とする請求項１に記載した気化式加湿器の構造。
【請求項６】
前記吸込口２にはフィルタ２ａを設け、かつ、吸込口２の中央上部にはフィルタ２ａのない開口部分２ｂを設けたことを特徴とした請求項１に記載した気化式加湿器の構造。
【発明の詳細な説明】
【技術分野】
【０００１】
この発明は加湿器、殊に加湿エレメントに含まれる水分を気化させる加湿器に関するものである。
【背景技術】
【０００２】
気化式の加湿器は、枠体の背部に設けた空気の吸込口と枠体の前部に設けた空気の吹出口とを連通する送風流路を枠体内に設け、送風流路内には吸水性を有する気化体を設置し、気化体の下部を送風流路の下方に設けた貯水槽の水中に没し、この気化体の前方もしくは後方の送風流路内に送風機を設置している。
【０００３】
また、従来の加湿器は、貯水槽に水を供給するための着脱式の水タンクを備えたものが一般的であり、枠体内に水タンクをセットすると水タンクから水が流れ出て貯水槽に所定量貯水される。この水は気化体によって吸い上げられており、送風機を駆動して気化体に風をあてると気化体に吸い上げられた水が気化し、気化体を通過した風は加湿空気となって枠体前面の吹出口から吹出して室内を加湿するものである（特許文献１参照）。
【特許文献１】特開２００１−３３６７９１号公報
【発明の開示】
【発明が解決しようとする課題】
【０００４】
上記のように着脱式の水タンクを備えたものは、水タンクが送風流路の側方に位置しているため枠体形状が大きくなっており、また、水タンクと貯水槽を連結する給水管などの部品が必要であり、部品点数が多く構造も複雑となる。最近は製品のコンパクト化やコストの低減などの要求があり、そのため着脱式の水タンクを廃止して直接貯水槽に水をためる構造にすれば、枠体のコンパクト化や部品点数が少なくなってコストの低減を達成することはできる。
【０００５】
しかし、水タンクを廃止して貯水槽にためる水の量を多くすると、誤って製品を転倒させたときに貯水槽から多量の水が流出して室内を水浸しにしてしまうことになるので、貯水槽に水をためる構造にしたときにはこの水漏れの対策が必要となる。
【課題を解決するための手段】
【０００６】
この発明は上記課題を解決するもので、枠体１の背部に設けた空気の吸込口２と、枠体１の前部に設けた空気の吹出口３と、吸込口２と吹出口３とを連通する枠体１内に設けた送風流路４と、送風流路４内に設置した送風機５とによって送風装置を構成し、前記送風流路４の下方には貯水槽６を設け、前記送風機５の作動時に加湿空気を吹出口３から吹出すように一部が貯水槽６内に届く気化体７を送風流路４内に設置した加湿器であって、前記枠体１は送風流路４を配置した上部枠体Ａと貯水槽６を配置した下部枠体Ｂで構成し、該貯水槽６の上部開口６ａの周縁部には上広がりのテーパー状の内壁６ｂを形成し、該開口６ａを覆う蓋８の外周には開口６ａの内壁６ｂと密着する封止部材８ａを設け、該蓋８は貯水槽６内に伸ばした扁平状の気化体収納部９を一体に構成し、気化体７の下部を届かせた有底状の前記気化体収納部９の下部には、気化体収納部９と貯水槽６内を連通する細孔９ａを形成すると共に、前記上部枠体Ａの底板１０と前記貯水槽６の蓋８との間に間隔１１を介して、貯水槽６を含む下部枠体Ｂと前記上部枠体Ａとを取付け、該間隔１１の容積を気化体収納部９の内部空間よりも広くしたことを特徴とするものである。
【０００７】
また、上部枠体Ａの底板１０には下部枠体Ｂから上部枠体Ａに届く扁平状の気化体７の幅方向と平行になるリブ１０ａを蓋８に向けて突出して設け、このリブ１０ａは上部枠体Ａを下部枠体Ｂに取り付けたときに上部枠体Ａが蓋８を押さえつけ、封止部材８ａと貯水槽内壁６ｂとを密閉することにより、蓋８と貯水槽内壁６ｂとの間に隙間が生じることなく確実に貯水槽６を密閉することができ、製品の転倒時の衝撃で蓋８が外れることはなく水の流出を防ぐことができる。
【０００８】
また、気化体収納部９の上方には気化体７を送風流路４内で形状を保持する為に蓋８と一体成形された気化枠７ａを設け、該気化枠７ａは上部枠体Ａの底板１０の開口１０ｂから送風流路４に伸ばされており、該送風流路４には気化枠７ａを保持する案内板１２を設けたもので、気化体７を保持する気化枠７ａが案内板１２に沿って取付けることができるので、蓋８を容易に上部枠体Ａに取付けることができる。
【０００９】
また、気化体収納部９の下部にある細孔９ａは、気化体収納部９の下面と側面とのコーナー部に形成し、該細孔９ａの側面と同方向の蓋８には空気孔８ｂを設けたから、気化体収納部９内に常に一定の水位が保持できる構造でも、製品の転倒時には貯水槽６の水の流出を最小限に抑えることができる。
【００１０】
また、貯水槽６の底部には気化体収納部９の下部の形状に合せて一段低い凹部６ｃを設け、気化体収納部９は貯水槽６の底部よりも低い位置に伸ばして気化体収納部９の下部が貯水槽６の凹部６ｃ内に届くように設けることで、凹部６ｃによって気化体７の位置決めができると共に、気化体７が貯水槽６内の水を残すことなく吸い上げ可能になるものである。
【００１１】
また、吸込口２にはフィルタ２ａを設け、かつ、吸込口２の中央上部にはフィルタ２ａのない開口部分２ｂを設けたことで、製品の転倒時に上部枠体Ａに水が流れても、フィルタ２ａのない開口部分２ｂから枠体１外に流出することができ、送風機５付近に水が溜まらないものである。
【発明の効果】
【００１２】
上記課題を解決するこの発明は、加湿器の枠体１を送風流路４を配置した上部枠体Ａと貯水槽６を配置した下部枠体Ｂで構成し、下部枠体Ｂに配置した貯水槽６の上部開口６ａを覆う蓋８を設けたもので、開口６ａの周縁部に上広がりのテーパー状の内壁６ｂを形成し、蓋８の外周に設けた封止部材８ａが貯水槽６の内壁６ｂと密着できるようにしたので、製品の転倒時に貯水槽６の上部開口６ａからの水の流出を防ぐことができる。
【００１３】
また、蓋８には貯水槽６内に伸ばした扁平状の気化体収納部９を構成し、気化体収納部９の下部に気化体収納部９と貯水槽６内を連通する細孔９ａを形成し、貯水槽６の水が細孔９ａから気化体収納部９に送られるようにしており、更に上部枠体Ａを下部枠体Ｂに取付けたときに、上部枠体Ａの底板１０と貯水槽６の蓋８との間に間隔１１を形成し、この間隔１１の容積を気化体収納部９の内部空間よりも広くしたので、製品の転倒時に気化体収納部９内からこぼれた水は間隔１１で止めることができ、枠体１外に水が流出することがなくなった。
【００１４】
また、リブ１０ａを蓋８に向けて突出して設け、上部枠体Ａを下部枠体Ｂに取り付けたときに、上部枠体Ａの底板１０に設けたリブ１０ａによって蓋８を押さえつけるようにすれば、封止部材８ａと貯水槽６の内壁６ｂとが確実に密着できるから、製品の転倒時に蓋８が外れることがなく確実に水の流出を防ぐことができるものとなった。
【００１５】
また、気化体収納部９の上方には気化体７の形状を保持するための蓋８と一体成形された気化枠７ａを設け、送風流路４には気化枠７ａを保持する案内板１２を設け、気化枠７ａが案内板１２に沿って取付けることができるようにしたから、気化体７を破損させることなく送風流路４に設置できるようになり、蓋８を容易に上部枠体Ａに取付けることができるものとなった。
【００１６】
また、気化体収納部９と貯水槽６を連通する細孔９ａは、気化体収納部９の下面と側面とのコーナー部に形成したから、貯水槽６の水を無駄なく気化体７に送ることができると共に、加湿量の低下や加湿できなくなるといったクレームを発生させることもないものである。
【００１７】
また、気化体収納部９の水位を一定に保つために蓋８には空気孔８ｂも設けるが、この発明では空気孔８ｂを細孔９ａの側面と同方向の蓋８に配置したから、製品の転倒時に細孔９ａや空気孔８ｂからの水の流出を最小限に抑えることができるものとなった。
【００１８】
また、貯水槽６の底部には気化体収納部９の下部の形状に合せて一段低い凹部６ｃを設け、気化体収納部９の下部が貯水槽６の凹部６ｃ内に届くように設けたので、蓋８の取付け時に凹部６ｃと気化体収納部９が蓋８の位置決めとなり、気化体７を容易に正しい位置に取付けることができると共に、気化体７が貯水槽６内の水を残すことなく吸い上げ可能になるものである。
【００１９】
また、吸込口２にはゴミや埃を捕集するフィルタ２ａを設けているが、製品が転倒して送風機５側が下側になったときに、貯水槽８や気化体収納部９の水が上部枠体Ａに流れることがあると、水がフィルタ２ａを通過できずに枠体１内に溜まり、電装部品である送風機５に水が浸入して故障することがある。この発明では、吸込口２の中央上部にフィルタ２ａのない開口部分２ｂを設けたので、上部枠体Ａに流れる水はこの吸込口２の開口部分２ｂから枠体１外に流出することができ、水による送風機５の故障を発生させることがなくなった。
【発明を実施するための最良の形態】
【００２０】
図に示す実施例によってこの発明を説明すると、１は加湿器の枠体、２は枠体１の背部に設けた空気の吸込口、３は枠体１の前部に設けた空気の吹出口、４は吸込口２と吹出口３と連通する枠体１内に設けた送風流路、５は送風流路４内の吸込口３付近に設置した送風機である。６は枠体１内の送風流路４の下方に設けた貯水槽、７は吸水性を有するシート状の素材をプリーツ折りして形成した気化体であり、気化体７の上部が送風流路４内の送風機５の前方に設置され、気化体７の下部が貯水槽６内の水に浸漬されている。
【００２１】
送風機５を運転すると枠体１の背部の吸込口３から送風流路４内に吹込まれた空気が気化体７を通過し、このとき気化体７によって吸上げられた貯水槽６の水が気化体７から気化し、気化体７を通過した空気は湿った空気となって吹出口３から室内に吹出し、室内の加湿を行うものである。
【００２２】
従来の加湿器は、枠体１内に装着されると共に取外して給水できる着脱式の水タンクを備えたものが一般的であり、水タンクを枠体１内に装着すると水タンクに貯えられた水が貯水槽６に流れる構造であったが、着脱式の水タンクは枠体１内の送風流路４の側方に配置されるため枠体形状が大きくなってしまう。また、送風流路４の下方の貯水槽６と水タンクの下方を連通するための給水管が必要であるため、部品点数が増加してコスト高になってしまう問題があった。このため最近では、着脱式の水タンクを廃止して貯水槽６に一定量の水を貯える構造にし、枠体１のコンパクト化やコストの低減を狙ったものがある。
【００２３】
着脱式の水タンクを備えた構造のときは貯水槽６の容量を小さく設定していたので、加湿器を誤って転倒させて貯水槽６の水がこぼれても、枠体１外には少量の水が流出するだけであり、室内を水浸しにしてしまう心配はなかったが、水タンクを廃止したときは貯水槽６の容量が大きくなるため、製品が転倒して貯水槽６の水がこぼれたときは枠体１外に多量の水が流出してしまい、室内を水浸しにしてしまう問題が発生した。
【００２４】
この発明はこの課題を解決するもので、Ａは送風流路４を配置した上部枠体、Ｂは貯水槽６を配置した下部枠体であり、下部枠体Ｂの上部に上部枠体Ａを取付けることで枠体１を構成している。図に示す実施例において、１３は上部枠体Ａに設けた係止片、１４は下部枠体Ｂに設けた係止孔であり、上部枠体Ａを下部枠体Ｂに取付けると、係止片１３が係止孔１４と係合して上部枠体Ａと下部枠体Ｂが固定される。１３ａは上部枠体Ａに設けた係止片１３の操作部であり、該操作部１３ａを押すと係止片１３と係止孔１４の係合が外れ、上部枠体Ａと下部枠体Ｂを外すことができる。なお、上部枠体Ａと下部枠体Ｂの固定方法としては他に、上部枠体Ａの下部と下部枠体Ｂの上部にそれぞれねじ部を設け、ねじ部の螺合によって固定する方法でもよい。
【００２５】
６ａは下部枠体Ｂに配置した貯水槽６の上部開口、６ｂは開口６ａの周縁部に上広がりのテーパー状に形成した内壁、８は貯水槽６の開口６ａを覆う蓋、８ａは蓋８の外周に設けた樹脂製のパッキン等で構成する封止部材であり、蓋８を貯水槽６の開口６ａに装着すると蓋８の外周に設けた封止部材８ａが貯水槽６の内壁６ｂに密着し、蓋８によって貯水槽６の上部開口６ａを密閉するものである。貯水槽６の内壁６ｂをテーパー状に設けたことにより、貯水槽６や蓋８に多少の寸法誤差があっても封止部材８ａが確実に貯水槽６の内壁６ａに密着することができるものとなっている。
【００２６】
９は蓋８と一体に構成した扁平状の気化体収納部、９ａは気化体収納部９の下部に形成した細孔であり、蓋８を開口６ａに装着したときは気化体収納部９が貯水槽６内に位置し、貯水槽６と気化体収納部９が下部の細孔９ａによって連通している。気化体７は蓋８の上方から気化体収納部９内に収納され、気化体７の下部は気化体収納部９の下部まで届いている。
【００２７】
上記構成において、下部枠体Ｂの貯水槽６に所定量の水を入れた後、蓋８を開口６ａに装着すると蓋８の外周に設けた封止部材８ａが貯水槽６の内壁６ｂに密着して開口６ａが閉止され、蓋８に設けた気化体収納部９の細孔９ａが貯水槽６の水中に位置し、貯水槽６の水が細孔９ａから気化体収納部９へ流入し、気化体７は気化体収納部９に流入した水を吸上げる。
【００２８】
１０は上部枠体Ａの送風流路４の下部に設けた底板、１０ｂは底板１０に設けた開口であり、下部枠体Ｂの上に上部枠体Ａを取付けたときは、気化体７の蓋８の上方に突出した部分が底板１０の開口１０ｂを貫通して送風流路４内に位置するようになっている。１１は下部枠体Ｂの上に上部枠体Ａを取付けたときに上部枠体Ａの底板１０と貯水槽６の蓋８との間に形成される間隔であり、間隔１１の容積は気化体収納部９の内部空間よりも広く設定している。
【００２９】
この構成であれば、加湿器が転倒して横向きなっても、蓋８の封止部材８ａが内壁６ｂに密着して貯水槽６が密閉された空間を構成しているから、貯水槽６の水が開口６ａから流出することはない。また、気化体収納部９内の水は上部枠体Ａの底板１０と貯水槽６の蓋８との間の間隔１１にこぼれるが、このとき間隔１１の容積は気化体収納部９の内部空間よりも広いから、気化体収納部９からこぼれた水は全て間隔１１内で受け止めることができる。したがって、加湿器をすぐに起こせば貯水槽６の水が枠体１外に流出することはなくなり、貯水槽６に水を貯える構造でも水漏れの心配がなく、製品のコンパクト化やコストの低減が実現できた。
【００３０】
上記の構成によって加湿器の転倒時の水の流出を防ぐことはできるようになったが、転倒時の衝撃で蓋８が外れてしまうと貯水槽６の水が開口６ａから多量に流れ出て枠体１外に流出させる恐れがある。
【００３１】
この発明の実施例において、１０ａは上部枠体Ａの底板１０から蓋８に向けて突出させたリブであり、リブ１０ａは下部枠体Ｂから上部枠体Ａに届く扁平状の気化体７の幅方向と平行になるように形成しており、上部枠体Ａを下部枠体Ｂに取付けたときに底板１０から突出したリブ１０ａが貯水槽６の蓋８を押さえつけるので、蓋８の封止部材８ａと貯水槽６の内壁６ｂを強固に密着させることができる。そして、上部枠体Ａと下部枠体Ｂは係止片１３と係止孔１４の係合によって確実に固定されているので、加湿器の転倒時に上部枠体Ａと下部枠体Ｂは外れることはなく、上部枠体Ａのリブ１０ａで押さえつけられた蓋８も簡単に外れることはないから、貯水槽６の水の流出を確実に防ぐことができるものとなった。
【００３２】
また、気化体７はシート状の柔らかい素材であるため、気化体７の送風流路４内に位置する部分については気化体７自身でその形状を保持することは難しいものであり、また、蓋８を上部枠体Ａに取付けるときに気化体７が開口１０ｂの端面にあたって破れる恐れがある。７ａは気化体収納部８の上方に蓋８と一体に設けた気化体７の形状を保持するための気化枠であり、気化体７の蓋８の上方に突出する部分はこの気化枠７ａに収納されてその形状が保持され、蓋８を上部枠体Ａに取付けるときは気化枠７ａによって気化体７が開口１０ｂの端面にあたらないので気化体７の破損を防ぐことができる。
【００３３】
１２は送風流路４内に設けた気化体７の気化枠７ａを保持する案内板であり、蓋８を上部枠体Ａに取付けるときに気化体７の気化枠７ａが案内板１２に沿って移動することで、蓋８を上部枠体Ａに容易に取付けることができるようにしている。
【００３４】
実施例を示す図３において、１２ａは案内板１２の中央に設けた送風開口、１２ｂは送風開口１２ａの側部と上部を囲うように配置した案内板１２のガイド板であり、送風機５の風は送風開口１２ａを通過して前方に向かい、気化体７に送風している。このとき送風開口１２ａをガイド板１２ｂ付近まで広げると、案内板１２の両側が送風開口１２ａによって上下に分かれた形状になってしまい、蓋８の取付け時に案内板１２に沿って移動する気化枠７ａが送風開口１２ａの端部にあたってスムーズに取付けできないことがある。
【００３５】
このため、図３に示すように、案内板１２の両側部分については送風開口１２ａを設けない構造にして案内板１２を連続した形状にすれば、気化枠７ａが案内板１２とガイド板１２ｂに沿ってスムーズに移動するので、蓋８を容易に取付けることができる。
【００３６】
更に、蓋８に気化枠７ａを取付け、その周囲を案内板１２で囲うことによって気化体７の周囲の開口１０ｂとの隙間を塞ぐことができるから、気化体収納部９から下部枠体Ｂに流出した水が開口１０ｂから上部枠体Ａへ流出することを防ぐことができる。
【００３７】
また、貯水槽６の水を無駄なく気化体収納部９に送るためには、細孔９ａを気化体収納部９の下面に配置することがのぞましいが、貯水槽６の底にゴミが沈んでいることがあり、このゴミが細孔９ａに引っかかって細孔９ａを塞いでしまうときがあり、このときは気化体７に水が供給されなくなって加湿量の低下や加湿できないといったクレームを発生させることになる。
【００３８】
この発明では、貯水槽６と気化体収納部９を連通する細孔９ａを気化体収納部９の下面と側面のコーナー部に位置するように設けたもので、貯水槽６の水のほとんどを気化体７に供給できると共に、貯水槽６の底に沈んだゴミが細孔９ａに引っかかっても、気化体収納部９の側面の細孔９ａの上部から水が通過できるので、加湿量の低下や加湿できないといったクレームを発生させることはなくなった。
【００３９】
ところで、上記のように貯水槽６を密閉された空間にすると、気化体収納部９の水があるときは空気の行き来ができないため貯水槽６の水が気化体収納部９に流入することができず、気化体収納部９内の水位が細孔９ａよりも低くなくならないと貯水槽６の水が気化体収納部９に流入しないので、気化体７で保持できる水の量が少なくなって加湿量が低下してしまう。８ａは蓋８に設けた空気孔であり、貯水槽６の上部の空気が空気孔８ａから抜けることにより気化体収納部９には常に一定の水位が保たれるので、常に安定した加湿量が得られるものである。
【００４０】
しかし、蓋８に空気孔８ａを設けると、製品の転倒時にも貯水槽６の水が空気孔８ａや細孔９ａから流出しやすくなるため、多量の水が枠体１外に流出してしまう恐れがある。この発明では空気孔８ａを気化体収納部９の細孔９ａの側面と同方向の蓋８に設けたので、製品の転倒時に空気孔８ａと細孔９ａを配置した側が下になったときは、空気孔８ａと細孔９ａの両方が水中に位置して空気が流入できなくなるので、貯水槽６の水が空気孔８ａや細孔９ａから気化体収納部９に流出することを防ぐことができる。また、空気孔８ａと細孔９ａを配置した側が上になったときは、空気孔８ａと細孔９ａは貯水槽６の水面よりも上方に位置するので、貯水槽６の水が気化体収納部９に流出することはなく、製品の転倒時の水の流出を最小限に抑えることができるものとなった。
【００４１】
また、この発明の実施例において、６ｃは貯水槽６の底部に設けた凹部であり、気化体収納部９の底部を貯水槽６の底部よりも低くして凹部６ｃ内に位置するように設け、気化体収納部９の底部を貯水槽６の凹部６ｃ内に収納しなければ蓋８の取付けができないようにしたので、気化体収納部９と貯水槽６の凹部６ｃによって気化体７の位置決めが可能となり、気化体７は容易に正しい位置に取付けることができるものとなった。
【００４２】
また、貯水槽６の水が少なくなったときは凹部６ｃに水が集まるので、貯水槽６内に水が残ることなく気化体収納部９に送ることができ、気化体７は貯水槽６内の水を残すことなく吸上げできるものとなった。
【００４３】
また、この発明の実施例において、２ａは枠体１の背部の吸込口２に配置したフィルタ、２ｂは吸込口２の中央上部に設けた開口部分であり、空気中のゴミや埃はフィルタ２ａによって捕集され、気化体７にはこのフィルタ２ａを通過した空気を送っている。空気の吸込口２に使用されるフィルタ２ａは目の細かな網目状のフィルタが一般的であるが、製品が転倒して送風機５側が下になったときに水が底板１０の開口１０ｂから上部枠体Ａに流出することがあると、この水がフィルタの表面張力によって網目に付着してフィルタ２ａを通過できず、送風機５の周囲に水が溜まってしまうことがあり、この水によって送風機５が故障する問題がある。
【００４４】
この発明は、吸込口２の中央上部にフィルタ２ａのない開口部分２ｂを設けたので、製品が転倒して送風機５側が下になったときに上部枠体Ａに水が流出しても、この水はフィルタ２ａのない開口部分２ｂから枠体１外に流出することができるから、送風機５の周囲に水が溜まることがなくなって送風機５の故障を発生させることがなくなった。
【図面の簡単な説明】
【００４５】
【図１】この発明の実施例を示す加湿器の側面断面図である。
【図２】この発明の実施例を示す加湿器の正面断面図である。
【図３】この発明の実施例を示す加湿器の分解図である。
【符号の説明】
【００４６】
Ａ    上部枠体
Ｂ    下部枠体
１    枠体
２    吸込口
２ａ  フィルタ
２ｂ  開口部分
３    吹出口
４    送風流路
５    送風機
６    貯水槽
６ａ  上部開口
６ｂ  内壁
６ｃ  凹部
７    気化体
７ａ  気化枠
８    蓋
８ａ  封止部材
８ｂ  空気孔
９    気化体収納部
９ａ  細孔
１０    底板
１０ａ  リブ
１０ｂ  開口
１１    間隔
１２    案内板
【図１】
2005315500.tif 000003
【図２】
2005315500.tif 000004
【図３】
2005315500.tif 000005